(57)【要約】【課題】運用性が良く安全性の高い表面汚染検査装置を提供すること。【解決手段】表面汚染を検査すべき被検査物体１３が収容されているセル内に設けられろ紙８によって被検査物体１３の表面汚染を採取する汚染採取装置１と、セル内に設けられ汚染採取装置１にろ紙８を供給し回収するろ紙供給回収装置２と、セルの内外を隔離する壁１２を貫く貫通孔６内に設けられろ紙８を載置したトレイ９を運ぶトレイ搬送装置１４を備えている構成とする。【選択図】図１
2008020400.tif 000002
【特許請求の範囲】
【請求項１】
表面汚染を検査すべき被検査物体が収容されているセル内に設けられろ紙によって前記被検査物体の表面汚染を採取する汚染採取装置と、前記セル内に設けられ前記汚染採取装置にろ紙を供給し回収するろ紙供給回収装置と、前記セルの内外を隔離する壁を貫く貫通孔内に設けられろ紙を載置したトレイを運ぶトレイ搬送装置とを備えていることを特徴とする表面汚染検査装置。
【請求項２】
前記トレイ搬送装置は、前記ろ紙供給回収装置から動力伝達を行うことにより、若しくはセル外からの動力により駆動されることを特徴とする請求項１記載の表面汚染検査装置。
【請求項３】
前記貫通孔のセル内側およびセル外側に遮蔽用の扉を備えていることを特徴とする請求項１記載の表面汚染検査装置。
【請求項４】
前記貫通孔の前記セル外側に設けられ前記ろ紙の汚染を測定する汚染測定装置を設置した密閉式の測定室を備えていることを特徴とする請求項１記載の表面汚染検査装置。
【発明の詳細な説明】
【技術分野】
【０００１】
本発明は、再処理関連施設から搬出される放射性廃棄物等の表面汚染を検査する表面汚染検査装置に関する。
【背景技術】
【０００２】
再処理関連施設から搬出される放射性廃棄物等の表面汚染は、放射性廃棄物等の表面をろ紙にてふき取り、ろ紙に付着した放射能を測定することにより検査される（特許文献１，２参照）。
【０００３】
従来、高放射線環境下にある物品の表面汚染を検査するには、クレーン等を用いて別室からろ紙を供給するなど比較的大掛かりな装置に頼らざる得ない状況にある。また、ろ紙を回収する際においては、下階の別室に連通する貫通孔に落下させることにより、下階の検査室に搬送するなどしているが、回収する前にカバーの設置が必要となるため、ろ紙ハンドリング技術という点において複雑な構造にせざる得ない状況にある。
【特許文献１】特開昭５７−７９４８０号公報
【特許文献２】特開２００１−３０５２８３号公報
【発明の開示】
【発明が解決しようとする課題】
【０００４】
再処理関連施設から搬出される放射性廃棄物は高レベルな放射能を有するものある。このため、放射性廃棄物を取り扱うセル内は高放射線環境となり、人がセル内に入ることはできない上に、廃棄物がセル外に搬出された場合においても、セル内を除染しなければならず、容易に入ることはできない。よって、表面汚染検査を行う上で、その運用性、安全性について考慮する必要がある。
そこで本発明は、運用性が良く安全性の高い表面汚染検査装置を提供することを目的とする。
【課題を解決するための手段】
【０００５】
上記課題を解決するために、本発明の表面汚染検査装置は、表面汚染を検査すべき被検査物体が収容されているセル内に設けられろ紙によって前記被検査物体の表面汚染を採取する汚染採取装置と、前記セル内に設けられ前記汚染採取装置にろ紙を供給し回収するろ紙供給回収装置と、前記セルの内外を隔離する壁を貫く貫通孔内に設けられろ紙を載置したトレイを運ぶトレイ搬送装置とを備えている構成とする。
【発明の効果】
【０００６】
本発明によれば、運用性が良く安全性の高い表面汚染検査装置を提供することができる。
【発明を実施するための最良の形態】
【０００７】
以下、本発明の実施の形態を図１〜図５を参照して説明する。本実施の形態の表面汚染検査装置は図１および図２に示すように、表面汚染を検査すべき被検査物体１３が隔離収容されているセル内に設けられ被検査物体１３を載置あるいは保持して回転する回転テーブル３と、回転する被検査物体１３の表面にアーム１ａによってろ紙を押し当てて被検査物体１３の表面汚染をろ紙に移行させて採取する汚染採取装置１と、汚染採取装置１にろ紙を供給し回収するろ紙供給回収装置２と、ろ紙を載せたトレイをセル内とセル外を隔てる遮蔽壁１２に設けられた壁貫通孔６を通って移動させるトレイ搬送装置と、セル外に設けられセル内からの放射性物質の侵入を防ぐ密閉式の測定室であるグローブボックス５内に設けられ回収したろ紙の汚染密度を測定する汚染測定装置４とから構成されている。壁貫通孔６のセル内側とセル外側には遮蔽扉７ａ，７ｂが設けられている。
【０００８】
ろ紙を汚染採取装置１に供給し、汚染採取後ろ紙を回収する動作は下記のように行う。未使用のろ紙はセル外に保管されており、グローブボックス５内に手動にて搬入される。ろ紙がグローブボックス５内に搬入された後は、図３に示すように、専用のトレイ９上にろ紙８が複数個置かれ、セル外側の遮蔽扉７ｂが開けられた後、手動若しくは自動にてトレイ９を壁貫通孔６に入れる。セル外側の遮蔽扉７ｂが閉じられた後、セル内側の遮蔽扉７ａが開かれる。セル内にあるろ紙供給回収装置２は壁貫通孔６内に接近するように移動する。
【０００９】
壁貫通孔６内には、図４に示すようにギヤおよびシャフトにて連結されたローラ１０を備えたトレイ搬送装置１４が設置されている。ろ紙供給回収装置２はトレイ搬送装置１４を駆動させる。すなわち、ろ紙供給回収装置２は、トレイ搬送装置１４と動力伝達するための動力伝達継手１１ａを具備しており、また、トレイ搬送装置１４も、ローラ１０に連結されたギヤを回転させるシャフトに結合された動力伝達継手１１ｂを具備している。この継手１１ａ，１１ｂはその位置合わせにずれが生じても動力伝達がなされるような構造となっている。
【００１０】
ろ紙供給回収装置２は、トレイ９を汚染採取装置１との取り合い点まで搬送し、また、トレイ搬送装置１４との結合点まで移動するための駆動系をもっている。これにより、ろ紙８をセル内に搬入する。搬入されたろ紙８は汚染採取装置１との取り合い点まで搬送され、汚染採取装置１に供給される。汚染採取後のろ紙８の回収は、この逆の動作フローとなる。
【００１１】
汚染採取装置１は、アーム１ａ先端に設置した動力を用いて、若しくは機械的にろ紙８を把持し、被検査物体１３の表面にろ紙８を倣わせるように動作する。このとき、被検査物体１３の形状が円筒体の場合には、被検査物体１３を回転テーブル３に載置し回転させながらろ紙８で表面をこする。
【００１２】
被検査物体１３の表面の汚染を採取したろ紙８は汚染採取装置１から取り外され、トレイ９に載せられてセル外に搬送され、図５に示すように、グローブボックス５内において手動にてトレイ９から降ろされ、汚染測定装置４によって汚染密度を測定される。
【００１３】
上記のように本実施の形態の表面汚染検査装置は、セル内とセル外を連通する壁貫通孔６を通して、セル外からろ紙８を供給し、ろ紙８が汚染採取に使用された後はセル外に搬出して、セル外にて汚染密度を計測する。これにより、大掛かりな装置を設置せずに、セル内にろ紙８を供給し、またセル内からろ紙８を回収する。
【００１４】
また本実施の形態においては、セル内とセル外を隔てる壁貫通孔６のセル内側及びセル外側それぞれに遮蔽扉７ａ，７ｂを設置する。これにより、セル内の放射線がセル外へ出ることを防止する。また、壁貫通孔６内にトレイ搬送装置１４を設置して、セル内から動力伝達若しくはセル外から動力供給を行うことで、トレイ搬送装置１４を駆動することにより、壁貫通孔６内に動力を持つことなく、ろ紙８を壁貫通孔６を通して内外へ搬送する。またセル内とセル外との間で気密を保持するグローブボックス５若しくはフード内装置を設置してセル外へ放射性物質が漏えいすることを防止し安全性を確保した上で、その内部に設置した汚染測定装置でセル外に搬出したろ紙８の汚染密度を測定する。
【００１５】
したがって本実施の形態の表面汚染検査装置によれば、ろ紙供給回収のために大掛かりな装置を設置せずに済み、また、耐放射線性と放射線環境下における運用性が良く、システムとしてのコストダウン及び信頼性を向上させることができる。
【図面の簡単な説明】
【００１６】
【図１】本発明の実施の形態の表面汚染検査装置を示す斜視図。
【図２】本発明の実施の形態の表面汚染検査装置のセル内部分を示す斜視図。
【図３】本発明の実施の形態の表面汚染検査装置に備えられるトレイを示す斜視図。
【図４】本発明の実施の形態の表面汚染検査装置に備えられるトレイ搬送装置とろ紙供給回収装置の動作を示す図。
【図５】本発明の実施の形態の表面汚染検査装置に備えられるグローブボックスを示す図。
【符号の説明】
【００１７】
１…汚染採取装置、１ａ…アーム、２…ろ紙供給回収装置、３…回転テーブル、４…汚染測定装置、５…グローブボックス、６…壁貫通孔、７ａ，７ｂ…遮蔽扉、８…ろ紙、９…トレイ、１０…ローラ、１１ａ，１１ｂ…動力伝達継手、１２…遮蔽壁、１３…被検査物体、１４…トレイ搬送装置。
【図１】
2008020400.tif 000003
【図２】
2008020400.tif 000004
【図３】
2008020400.tif 000005
【図４】
2008020400.tif 000006
【図５】
2008020400.tif 000007